【手続補正書】
【提出日】平成18年5月24日(2006.5.24)
【手続補正１】
【補正対象書類名】明細書
【補正対象項目名】特許請求の範囲
【補正方法】変更
【補正の内容】
【特許請求の範囲】
【請求項１】  それぞれのねじ用工具（３）に割り付けられた収納開口部（２）を有する、多数の（セットとなっている）ほぼ同じ種類で寸法の異なるねじ用工具の保管装置（３）において、
保管装置（１、１’、１”）に着磁および消磁装置（５、５’）が、溝（１９、２０）として形成される案内部（１９、２０）とともに設けられることを特徴とする保管装置。
【請求項２】  それぞれのねじ用工具（３）に割り付けられた収納開口部（２）を有する、多数の（セットとなっている）ほぼ同じ種類で寸法の異なるねじ用工具の保管装置（３）において、
保管装置（１、１’、１”）に、収納開口部（２）によって形成された列の端部に配置された着磁および消磁装置（５、５’）が、収納開口部（２）の中心軸と平行に配置される案内部（１９、２０、２３、２４）とともに設けられることを特徴とする保管装置。
【請求項３】  ねじ用工具（３）の収納開口部（２）が、着磁位置および消磁位置（２１、２２、２５、２６）の間に設けられていることを特徴とする請求項１または２の何れかによる保管装置。
【請求項４】  着磁および消磁装置（５、５’、１８）が、収納開口部（２）の中心軸と並行に配置された磁石を備えたことを特徴とする請求項１ないし３の何れかによる保管装置。
【請求項５】  着磁および消磁装置（５、５’、１８）が、収納開口部（２）の中心軸と並行に配置された少なくとも１つの案内部（Ｅ、Ｅ１、１９、２０、２３、２４）を形成することを特徴とする請求項１、３または４の何れかによる保管装置。
【請求項６】  案内部（Ｅ、Ｅ１、２３、２４）が、補足開口部として形成されることを特徴とする請求項２ないし５の何れかによる保管装置。
【請求項７】  案内部（１９、２０、２３、２４）が、平面区間を形成することを特徴とする請求項１ないし６の何れかによる保管装置。
【請求項８】  着磁および消磁装置（１８）が、それぞれ着磁用および消磁用の２つの案内部（１９、２０、２３、２４）を備え、当該案内部は保管装置（１６、１６’）の互いに離れた端部に配置されることを特徴とする請求項１ないし７の何れかによる保管装置。
【請求項９】  着磁および消磁装置（１８）が、ケースの覆いに形成されることを特徴とする請求項１ないし８の何れかによる保管装置。
【請求項１０】  他のすべての収納開口部（２）よりも径が大きく、これらの開口部に補足して追加配置された補足開口部（Ｅ、Ｅ１）に、着磁および消磁装置（５、５’）が一体となっていることを特徴とする請求項１ないし９の何れかによる保管装置。
【請求項１１】  着磁および消磁装置（５）が、互いに軸方向に前後して配置される２つの筒状の区間（６、７）から形成され、１つの筒状の区間（６）に同方向に向いた磁石が、他の筒状の区間（６）に逆方向に向いた磁石が装着されることを特徴とする請求項１ないし１０の何れかによる保管装置。
【請求項１２】  筒状の区間（６、７）が、中央の底板（８）によって互いに分離されることを特徴とする請求項１１による保管装置。
【請求項１３】  筒状の区間（６、７）が、圧入嵌合によって円筒状開口部（９，１０）に挿入されることを特徴とする請求項１２による保管装置。
【請求項１４】  筒状の区間（６、７）が、切粉清掃用開口部（１１）によって互いに結合されていることを特徴とする請求項１１または１２の何れかによる保管装置。
【請求項１５】  着磁および消磁装置（５’）が、周辺側に配置された磁石（１４，１５）を有する両側に開口した円筒状開口部（１３）であることを特徴とする請求項１１ないし１４の何れかによる保管装置。
【手続補正２】
【補正対象書類名】明細書
【補正対象項目名】０００１
【補正方法】変更
【補正の内容】
【０００１】
【発明の属する技術分野】
本発明は、請求項１の前文による保管装置に関するものである。
【手続補正３】
【補正対象書類名】明細書
【補正対象項目名】０００２
【補正方法】変更
【補正の内容】
【０００２】
【従来の技術】
この種の保管装置は市場において既知である。これは特にＬ字形に形成された六角穴用ソケットスパナを収納するために使用される。多くの場合、例えばねじをねじ込む前にねじ用工具によって保持できるように、ねじ用工具はその作業用先端が磁性を帯びていることが好ましい。しかし、磁性であることが好ましくないねじ込み作業もある。
ＤＥ３４４４５８５は工具の磁化用装置を示している。
ＤＥ８８００９２６Ｕ１は、多数の磁石による工具の磁化および消磁用装置を示している。
アメリカ特許３４０５５３７７は、アメリカ特許５０８０２３０と同様に工具の保管用装置を示し、工具は適合した収納ポケット内に磁石によって保持される。
【手続補正４】
【補正対象書類名】明細書
【補正対象項目名】０００４
【補正方法】変更
【補正の内容】
【０００４】
【課題を解決するための手段】
この課題は、請求項１および２に詳細を述べる本発明により達成される。
補足の請求項は、有益な別の実施態様を説明している。
【手続補正５】
【補正対象書類名】明細書
【補正対象項目名】０００５
【補正方法】変更
【補正の内容】
【０００５】
このような構成によって、高い使用価値を持った話題としている保管装置が提供される。ここで保管装置は、一体に形成され案内する特徴を備えた着磁場所および消磁場所を備えている。収納開口部は、好都合に着磁場所および消磁場所の間に設けられる。収納開口部に挿入された六角穴用ソケットスパナは、クリップの最端部に配置された着磁場所および消磁場所の両者を互いに分離する遮蔽ブロックを形成する。消磁場所は周知の方法による逆極性方向を向いた磁石を有し、磁石から消磁磁界を発生する。着磁場所は正極方向を向いた磁石を有し、磁石から着磁磁界を発生する。これらの磁石の間に配置され収納開口部に挿入された鋼製ソケットスパナは、両方の異なった磁界に対する互いの遮蔽として作用するので、遮蔽手段を追加することが省略できる。従って、それぞれのねじ用工具の作業用先端は、必要に応じて適切に着磁または消磁される。両方の態様において、保管装置には常に着磁および消磁装置が設けられる。ねじ用工具はＬ字形に曲げられた六角穴用ソケットスパナとし、その長い方の辺が収納開口部に保持嵌合で挿入される。保管装置は収納開口部に加えて収納開口部の中心軸と並行に設けられた磁石を備えている。どちらの磁石に沿ってねじ用工具が動かされるかによって、ねじ用工具の着磁または消磁が行われる。詳しく言えば、着磁および消磁装置は少なくとも収納開口部の中心軸に並行に設けられた案内部を構成する。この案内部に沿って希望する磁化効果を得るためねじ用工具が動かされる。さらに案内部は補足開口部または溝として形成される。案内部が平面的な区間を形成する場合は、六角面が磁石に直接に隣接することができるので、この区間は断面が六角形の六角穴用ソケットスパナの保管に適している。着磁および消磁装置は、保管装置の互いに離れた端部領域に、それぞれ着磁用および消磁用として形成される２つの案内部を設けることによって使用上の利点が得られる。別の解決法においては、着磁および消磁装置をケースの覆いに形成することを特色とする。補足開口部は、保管装置に収納されるねじ用工具のすべての寸法に対応できる大きさとする。それぞれのねじ用工具を着磁するため、工具は着磁装置に挿入されねじ用工具の分子磁石は整列される。ねじ用工具は鋼製、すなわち磁気的に強力な物体を対象としているので、空間的に小さい着磁装置であっても良好な着磁効果が得られる。同様に消磁を行うことも可能で、この場合分子磁石はばらばらの状態に戻る。本発明により、着磁および消磁装置は２つの軸方向に互いに前後して配置される筒状区間を形成し、一つの筒状区間は同方向に向いた磁石が、また他の筒状区間は逆方向に向いた磁石が装着される。同方向に向いた磁石を有する筒状区間は逆方向に向いた磁石が装着される。同方向に向いた磁石を有する筒状区間にねじ用工具を挿入することによって、ねじ用工具の着磁が行われる。この工具を逆方向に向いた磁石を有する筒状区間に差し込むと分子磁石はばらばらになり、これが消磁作用に相当する。１つの態様では筒状区間は中央の底板で互いに分離される。この場合筒状区間は圧入嵌合によって筒状の開口部に挿入される。筒状の開口部は、ねじ用工具が保持される収納開口部と並行に配置される。保管装置として、射出によって成形される適切な樹脂が特に適している。この場合、保管装置を価格的に有利に製作するため、筒状の開口部を同時に考慮することができる。射出行程の後で筒状区間は圧入嵌合によって筒状の開口部に取り付けられ、これによって保管装置には既に着磁および消磁装置が装着される。別の有利な特徴は、筒状区間が切粉清掃開口部によって互いに結合されることである。磁性作用によって付着が発生することがある切粉は、これによって押し出されるかまたは空気で吹き飛ばすことができるので、着磁および消磁装置の機能は低下することはない。最後に、本発明により、着磁および消磁装置は周囲に配置された磁石を有する両側に開口した筒状の開口部であることがさらに好都合である。ここでも、筒状の開口部の部分的長さには同方向に向いた磁石が、また他方の部分的長さに逆方向に向いた磁石が設けられる。